(57)【要約】      （修正有）【課題】筐体にディスクドライブを安定して保持することができ、さらに、筐体が衝撃を受けてもディスクドライブを筐体に取り付ける構造の変形を防止することができるディスク装置、及び保持部材を提供する。【解決手段】ディスク装置Ａは、筐体１と、ディスク記憶媒体に対してデータの書き込み及び／又は読み出しを行うディスクドライブ２と、筐体の底板１２にディスクドライブを保持するための保持部材３，４と、を備える。保持部材３は、ドライブ取付部３１と保持用脚部３３とを有する。ドライブ取付部３１はディスクドライブに取り付けられる。保持用脚部３３は、長さが異なる第１脚部３３１及び第２脚部３３２を含んで構成される。第１脚部３３１は筐体の底板に形成される開口部１２３を係止するための部材である。第２脚部３３２は筐体の底板に先端が当接する。【選択図】図１
2014022020.tif 000002
【特許請求の範囲】
【請求項１】
筐体と、
ディスク記憶媒体に対してデータの書き込み及び／又は読み出しを行うディスクドライブと、
前記筐体の底板に前記ディスクドライブを保持するための保持部材と、
を備え、
前記保持部材は、前記ディスクドライブに取り付けられるドライブ取付部と、長さが異なる第１脚部及び第２脚部を含んで構成される保持用脚部と、を有し、
前記第１脚部は前記筐体の前記底板に形成される開口部を係止するための部材であり、
前記第２脚部は前記筐体の前記底板に先端が当接することを特徴とするディスク装置。
【請求項２】
前記第１脚部は前記開口部に挿通され、
前記第１脚部には、前記開口部を係止する係止部が設けられることを特徴とする請求項１に記載のディスク装置。
【請求項３】
前記第２脚部の先端から前記筐体の前記底板と略平行な第１方向に足部が延設され、
前記係止部は、前記第１脚部から前記第１方向とは反対の第２方向に延設されることを特徴とする請求項２に記載のディスク装置。
【請求項４】
前記第１脚部の先端形状が平坦であることを特徴とする請求項１〜請求項３のいずれかに記載のディスク装置。
【請求項５】
前記第１脚部が樹脂材料を用いて形成されることを特徴とする請求項１〜請求項４のいずれかに記載のディスク装置。
【請求項６】
ディスク記憶媒体に対してデータの書き込み及び／又は読み出しを行うディスクドライブに取り付けるためのドライブ取付部と、
筐体の底板に形成される開口部を係止するための第１脚部と、前記第１脚部とは長さが異なるとともに前記筐体の前記底板に先端を当接させるための第２脚部と、を含んで構成される保持用脚部と、
を備えることを特徴とする保持部材。
【発明の詳細な説明】
【技術分野】
【０００１】
本発明は、ディスク装置の筐体にディスクドライブを取り付ける構造に関する。
【背景技術】
【０００２】
近年、様々なデータの書き込みや読取を行うディスクドライブを搭載したディスク装置が一般に広く普及している。このディスクドライブとしては、ＣＤ（Compact Disc）、ＤＶＤ（Digital Versatile Disc）、ＢＤ（Blu-ray Disc）などのディスク記憶媒体を用いる光ディスクドライブや、ＨＤＤ（Hard Disc Drive）などを挙げることができる。
【０００３】
ディスクドライブをディスク装置の筐体に取り付ける方法は様々である。たとえば、引用文献１では、ディスク搬送ユニットのフレームに、脚片及び突片が設けられる。筐体を構成するベース板には、受け座と切起しが形成される。そして、ディスク搬送ユニットの突片をベース板の切起しに差し込むとともに、ディスク搬送ユニットの脚片の裏面に突設されたピンをベース板の受け座に形成された長孔に嵌入することによって、ディスク搬送ユニットを筐体に取り付けている。
【０００４】
このほか、支持部材を用いて、ディスクドライブをディスク装置の筐体に取り付ける方法もある。たとえば、ディスクドライブ及び筐体の側板に取り付けられるブラケットに支持用脚部を設ける。また、この支持用脚部の先端には、筐体の底板に当接する足部が設けられる。従って、ブラケットがディスクドライブを支持する状態で、ブラケットを介してディスクドライブが筐体に取り付けられる。
【先行技術文献】
【特許文献】
【０００５】
【特許文献１】特開２００４−２５９３３１号公報
【発明の概要】
【発明が解決しようとする課題】
【０００６】
しかしながら、引用文献１のように、ディスク搬送ユニットの突片をベース板の切起しに差し込んだり、ディスク搬送ユニットのピンをベース板の長孔に嵌入したりするだけでは、ディスク搬送ユニットを確実に安定して筐体に設置することは難しい。たとえば、ディスク装置が誤って落下するなどの際、ディスク搬送ユニットの突片やピンがベース板の切起しや長孔から外れる恐れがある。また、ディスク装置に加わる衝撃により、ディスク搬送ユニットの突片やピン、ベース板の切起しが破損する恐れもある。このような場合、ディスク搬送ユニットは、不安定にしか筐体に設置されなくなったり、筐体に設置できなくなったりする。
【０００７】
また、筐体の底板に当接する足部が先端に設けられる支持用脚部を有するブラケットを用いて、ディスクドライブを筐体に取り付けると、ディスク装置に落下などによる衝撃が加わる際、ブラケットの支持用脚部は、ディスク装置の底板より内側に向かう衝撃力を受け止めることができない。そのため、その衝撃により、ブラケットが変形し易い。特に、筐体にディスクドライブを取り付ける構造が変形し易い。よって、変形により支持用脚部が筐体の底板から離れ、ブラケットがディスクドライブを支持できなくなるなどの問題が生じる。
【０００８】
本発明は、上記の問題を鑑みてなされたものであり、筐体にディスクドライブを安定して保持することができ、さらに、筐体が衝撃を受けても筐体にディスクドライブが取り付けられる構造の変形を防止することができるディスク装置、及び保持部材を提供することを目的とする。
【課題を解決するための手段】
【０００９】
上記目的を達成するために、本発明のディスク装置は、筐体と、ディスク記憶媒体に対してデータの書き込み及び／又は読み出しを行うディスクドライブと、前記筐体の底板に前記ディスクドライブを保持するための保持部材と、を備え、前記保持部材は、前記ディスクドライブに取り付けられるドライブ取付部と、長さが異なる第１脚部及び第２脚部を含んで構成される保持用脚部と、を有し、前記第１脚部は前記筐体の前記底板に形成される開口部を係止するための部材であり、前記第２脚部は前記筐体の前記底板に先端が当接することを特徴とする。
【００１０】
上記構成によれば、保持部材のドライブ取付部はディスクドライブに取り付けられる。また、保持部材の保持用脚部のうち、第１脚部は筐体の底板に形成される開口部を係止するための部材である。また、第２脚部はその先端が筐体の底板に当接する。そのため、筐体に衝撃が加わるとき、筐体の底板より外側に向かう衝撃力は第１脚部により受け止められる。また、筐体の底板より内側に向かう衝撃力は第２脚部により受け止められる。従って、筐体にディスクドライブを安定して保持することができる。さらに、筐体が衝撃を受けても筐体にディスクドライブが取り付けられる構造の変形を防止することもできる。
【００１１】
上記構成において、前記第１脚部は前記開口部に挿通され、前記第１脚部には、前記開口部を係止する係止部が設けられてもよい。さらに、上記構成において、前記第２脚部の先端から前記筐体の前記底板と略平行な第１方向に足部が延設され、前記係止部は、前記第１脚部から前記第１方向とは反対の第２方向に延設されてもよい。
【００１２】
これらの構成によれば、第２脚部の足部と第１脚部の係止部とが互いに反対の方向に延設される。そのため、筐体の底板の開口部に足部や係止部が引っ掛かることなく、開口部に第１脚部をスムースに挿通することができる。従って、筐体の底板に保持部材を容易に取り付けることができる。
【００１３】
また、上記構成において、前記第１脚部の先端形状が平坦であってもよい。
【００１４】
この構成によれば、第１脚部の先端形状が平坦であるので、ディスク装置の製造工程やディスク装置の設置などの際、作業者の指先や掌などが第１脚部の先端に引っ掛かり難くなる。従って、ディスク装置が取り扱い易くなる。
【００１５】
上記構成において、前記第１脚部が樹脂材料を用いて形成されてもよい。
【００１６】
この構成によれば、第１脚部が比較的弾性の高い樹脂材料を用いて形成される。従って、第１脚部はスナップフィットにより弾性変形した状態で筐体の開口部を係止することができる。従って、筐体に保持部材を容易に取り付けることができる。
【００１７】
また、上記目的を達成するために、本発明の保持部材は、ディスク記憶媒体に対してデータの書き込み及び／又は読み出しを行うディスクドライブに取り付けるためのドライブ取付部と、筐体の底板に形成される開口部を係止するための第１脚部と、前記第１脚部とは長さが異なるとともに前記筐体の前記底板に先端を当接させるための第２脚部と、を含んで構成される保持用脚部と、を備えることを特徴とする。
【００１８】
上記構成によれば、保持部材のドライブ取付部はディスクドライブに取り付けるための部材である。また、保持部材の保持用脚部のうち、第１脚部は筐体の底板に形成される開口部を係止するための部材である。また、第２脚部はその先端を筐体の底板に当接させるための部材である。そのため、筐体に衝撃が加わるとき、筐体の底板より外側に向かう衝撃力は第１脚部により受け止められる。また、筐体の底板より内側に向かう衝撃力は第２脚部により受け止められる。従って、筐体にディスクドライブを安定して保持することができる。さらに、筐体が衝撃を受けても筐体にディスクドライブが取り付けられる構造の変形を防止することもできる。
【発明の効果】
【００１９】
筐体にディスクドライブを安定して保持することができ、さらに、筐体が衝撃を受けても筐体にディスクドライブが取り付けられる構造の変形を防止することができるディスク装置、及び保持部材を提供することができる。
【図面の簡単な説明】
【００２０】
【図１】本実施形態に係るディスク装置の分解斜視図である。
【図２】本実施形態に係る筐体の底板の内面図である。
【図３】本実施形態に係る第１ブラケットの上面図である。
【図４】本実施形態に係る第１ブラケットを長手方向Ｘから見た側面図である。
【図５】本実施形態に係る第１ブラケットを長手方向Ｘと垂直な方向Ｙから見た側面図である。
【図６】本実施形態の変形例において第１脚部の係止部が筐体の底板を係止する機構を示す図である。
【図７】本実施形態の変形例に係る保持用脚部を右側Ｒから見た図である。
【図８】スナップフィットで嵌合できるピンの一例を示す図である。
【発明を実施するための形態】
【００２１】
以下に、本発明の実施形態について、図面を参照して説明する。
【００２２】
本実施形態に係るディスク装置Ａは、たとえば、ディスク記憶媒体を用いるディスク再生装置、或いはディスク記録装置、若しくはディスク記録再生装置である。ディスク記憶媒体は、たとえば、ＣＤ（Compact Disc）、ＤＶＤ（Digital Versatile Disc）、ＢＤ（Blu-ray Disc）などの光ディスク記憶媒体やＨＤ（Hard Disc）である。このディスク装置Ａのより具体的な例としては、ＣＤプレイヤー、ＤＶＤプレイヤー、ＢＤプレイヤー、ＤＶＤレコーダー、ＢＤレコーダー、ＨＤＤレコーダーなどを挙げることができる。
【００２３】
図１は、本実施形態に係るディスク装置の分解斜視図である。図１に示す如く、ディスク装置Ａは、筐体１と、ディスクドライブ２と、第１ブラケット３と、第２ブラケット４と、を備える。なお、便宜上、図１では、筐体１にディスクドライブ２が取り付けられる構造を説明するための構成以外は省略して図示している。また、以下では、ディスク装置Ａの正面側をＦとし、背面側をＢとする。また、正面側Ｆから見たディスク装置Ａの左側をＬとし、右側をＲとする。
【００２４】
筐体１は、側板１１と、底板１２と、を含んで構成される。筐体１の左側Ｌの側板１１ａには、第１ブラケット３を取り付けるための２つの取付片１１１が設けられる。各取付片１１１には第１ねじ孔１１１ａが形成されている。なお、後述するように、２つの取付片１１１に第１ブラケット３がねじ止めされることにより、第１ブラケット３は筐体１の左側Ｌの側板１１ａの各取付片１１１に取り付けられる。
【００２５】
また、筐体１の底板１２の内面には、第１ブラケット３及び第２ブラケット４を用いて、ディスクドライブ２が設置される。図２は、本実施形態に係る筐体の底板の内面図である。図２に示す如く、筐体１の底板１２には、底板１２の内面上の平坦部１２１から筐体１の内部側に隆起する複数の絞り部１２２が形成されている。たとえば、底板１２の正面側Ｆ且つ左側Ｌの領域には第１絞り部１２２ａが形成されている。この第１絞り部１２２ａには、第１ブラケット３の後述する保持用脚部３３を保持するための開口部１２３が形成されている。また、底板１２の左右方向の中央部且つ正面側Ｆの領域には、第２絞り部１２２ｂが形成されている。さらに、第２絞り部１２２ｂには、第２ブラケット４の正面側Ｆを固定するための第３絞り部１２２ｃと、第２ブラケット４の背面側Ｂを固定するための第４絞り部１２２ｄと、が形成されている。第３絞り部１２２ｃ及び第４絞り部１２２ｄには、第２ブラケット４をねじ止めするための第２ねじ孔１２４が形成されている。
【００２６】
ディスクドライブ２は、ディスク記憶媒体に対してデータの書き込み及び／又は読み出しを行うドライブ装置である。このディスクドライブ２の具体的な例としては、光ディスク記憶媒体を用いる光ディスクドライブや、ＨＤを用いるＨＤＤ（Hard Disc Drive）などを挙げることができる。ディスクドライブ２のシャーシ２１の両側（Ｌ側及びＲ側）には設置用足部２１１が２つずつ設けられている。各設置用足部２１１には、第１開口２１１ａが形成されている。なお、後述するように、左側Ｌの２つの設置用足部２１１に第１ブラケット３がねじ止めされることにより、ディスクドライブ２の左側Ｌに第１ブラケット３が取り付けられる。また、右側Ｒの２つの設置用足部２１１に第２ブラケット４がねじ止めされることにより、ディスクドライブ２の右側Ｒに第２ブラケット４が取り付けられる。
【００２７】
第１ブラケット３は、ディスクドライブ２の左側Ｌを筐体１に取り付けるための部材である。また、第１ブラケット３は、筐体１の底板１２にディスクドライブ２を保持するための保持部材でもある。この第１ブラケット３は、たとえば樹脂材料や金属材料で形成されている。図３〜図５は、第１ブラケット３の形状を説明するための図である。図３は、本実施形態に係る第１ブラケットの上面図である。図４は、本実施形態に係る第１ブラケットを長手方向Ｘから見た側面図である。図５は、本実施形態に係る第１ブラケットを長手方向Ｘと垂直な方向Ｙから見た側面図である。なお、図中の方向Ｘは、第１ブラケット３の長手方向を示している。また、方向Ｙは、筐体１の底板１２と略平行であるとともに、長手方向Ｘと略垂直な方向を示している。
【００２８】
第１ブラケット３は、第１ドライブ取付部３１と、第１筐体取付部３２と、保持用脚部３３と、支持用脚部３４と、を含んで構成される。なお、本実施形態では第１ドライブ取付部３１と第１筐体取付部３２と保持用脚部３３と支持用脚部３４とが一体に形成されるが、この構成に限定されず、これらのうちの少なくとも１つが一体に形成されていない構成であってもよい。
【００２９】
第１ドライブ取付部３１は、ディスクドライブ２に第１ブラケット３を取り付けるための部材である。図３に示す如く、第１ドライブ取付部３１には２つの第３ねじ孔３１ａが形成されている。各第３ねじ孔３１ａはディスクドライブ２の左側Ｌに設けられた２つの第１開口２１１ａとそれぞれ対応する位置に形成されている（図１参照）。ディスクドライブ２の左側Ｌの各第１開口２１１ａに挿通された第１ネジ５が第１ドライブ取付部３１の第３ねじ孔３１ａに螺合される。こうして、ディスクドライブ２の左側Ｌに設けられた２つの設置用足部２１１に、第１ブラケット３の第１ドライブ取付部３１が取り付けられる。
【００３０】
第１筐体取付部３２は、筐体１の左側Ｌの側板１１ａに第１ブラケット３を取り付けるための部材である。第１筐体取付部３２は、図４に示す如く、長手方向Ｘから見た形状が階段状となるように、第１ドライブ取付部３１に接続されている。第１筐体取付部３２には、２つの第２開口３２ａが形成されている（図３参照）。各第２開口３２ａは、筐体１の左側Ｌの側板１１ａの取付片１１１に形成された各第１ねじ孔１１１ａとそれぞれ対応する位置に形成されている（図１参照）。第１ブラケット３の各第２開口３２ａに挿通された第２ネジ６が取付片１１１の各第１ねじ孔１１１ａに螺合されることにより、筐体１の左側Ｌの側板１１ａの取付片１１１に第１ブラケット３が取り付けられる。
【００３１】
保持用脚部３３は、図１や図３〜図５に示す如く、第１ドライブ取付部３１の正面側Ｆから鉛直下方に延設されている。この保持用脚部３３は、長さの異なる第１脚部３３１及び第２脚部３３２を含んで構成される。より具体的には、保持用脚部３３の先端が２つに分割されることにより、第１脚部３３１と、この第１脚部３３１よりも長さが短い第２脚部３３２と、が形成されている。なお、本実施形態では、保持用脚部３３の先端に第１脚部３３１及び第２脚部３３２が１つずつ形成されているが、本発明はこの構成に限定されない。保持用脚部３３には、第１脚部３３１及び第２脚部３３２が少なくとも１つずつ形成されていればよい。また、第１脚部３３１及び第２脚部３３２は、保持用脚部３３の先端を分割して形成される部材でなくてもよい。言い換えると、第１脚部３３１及び第２脚部３３２は、第１ドライブ取付部３１の正面側Ｆから別々に延設されていてもよい。
【００３２】
本実施形態では、ディスクドライブ２の筐体１の側板１１に近い左側Ｌに、保持用脚部３３を有する第１ブラケット３が取り付けられる（図１参照）。そのため、たとえば筐体１の側板１１から遠い右側Ｒに第１ブラケット３が取り付けられる場合よりも、ディスク装置１の落下などの際に筐体１が受ける衝撃を保持用脚部３３で受け止め易くなっている。
【００３３】
第１脚部３３１は、筐体１の底板１２に形成される開口部１２３を係止するための部材である。図３及び図４に示すように、第１脚部３３１には、その先端から方向Ｙに係止部３３１ａが延設される。係止部３３１ａは、第１脚部３３１の先端を略直角に折り曲げることにより、第１脚部３３１と一体に設けられている。筐体１の左側Ｌの側板１１ａに第１ブラケット３が取り付けられるとき、第１脚部３３１は筐体１の底板１２に形成される開口部１２３に挿通される。そして、係止部３３１ａが開口部１２３を係止する。なお、本実施形態の構成に限定されず、この係止部３３１ａは、第１脚部３３１とは別に設けられる部材であってもよい。また、係止部３３１ａは、第１脚部３３１を開口部１２３に挿通する前に設けられてもよいし、挿通した後に設けられてもよい。たとえば、係止部３３１ａは、第１脚部３３１を開口部１２３に挿通した後に、第１脚部３３１の先端に装着される部材であってもよい。
【００３４】
第２脚部３３２は、筐体１の底板１２にその先端を当接させるための部材である。本実施形態では、第２脚部３３２には、図３及び図４に示すように、その先端から方向Ｙに第１足部３３２ａが延設されている。第１足部３３２ａは、第２脚部３３２の先端を略直角に折り曲げることにより、第２脚部３３２と一体に設けられている。なお、この構成に限定されず、第１足部３３２ａは、第２脚部３３２とは別に設けられる部材であってもよい。筐体１の左側Ｌの側板１１ａに第１ブラケット３が取り付けられた状態では、第１足部３３２ａは筐体１の底板１２の内面上に形成された第１絞り部１２２ａに当接する。
【００３５】
このように、本実施形態では、第１脚部３３１の係止部３３１ａが開口部１２３を係止する。さらに、第２脚部３３２の先端の第１足部３３２ａが筐体１の底板１２に当接する。そのため、第１ブラケット３は、ねじ止めにより直接に固定されることなく、筐体１の底板１２に安定して保持される。
【００３６】
また、本実施形態では、第１脚部３３１の係止部３３１ａと第２脚部３３２の第１足部３３２ａとが同じ方向Ｙに延設されているが、本発明はこの構成に限定されない。係止部３３１ａは、第１足部３３２ａが延設される方向Ｙとは反対の方向に延設されてもよい。こうすれば、筐体１の底板１２の開口部１２３に係止部３３１ａや第１足部３３２ａが引っ掛かることなく、開口部１２３に第１脚部３３１をスムースに挿通することができる。従って、筐体１の底板１２に第１ブラケット３を容易に取り付けることができる。
【００３７】
また、第１脚部３３１の先端形状や係止部３３１ａの下面（鉛直下方に向く面）は平坦となっていることが望ましい。こうすれば、筐体１の底板１２から第１脚部３３１が突出していても、ディスク装置Ａの製造工程やディスク装置Ａの設置などの際、作業者の指先や掌などが第１脚部３３１の先端に引っ掛かり難くなる。従って、ディスク装置Ａが取り扱い易くなる。
【００３８】
また、第１脚部３３１は樹脂材料を用いて形成されるとさらに好適である。こうすれば、第１脚部３３１が比較的弾性の高い樹脂材料を用いて形成されるので、第１脚部３３１は、スナップフィットにより弾性変形した状態で筐体１の開口部１２３に挿入され、筐体１の開口部１２３を係止することができる。従って、筐体１に第１ブラケット３を容易に取り付けることができる。
【００３９】
支持用脚部３４は、図１や図３〜図５に示す如く、第１ドライブ取付部３１の背面側Ｂから鉛直下方に延設されている。支持用脚部３４には、その先端から略直角に屈曲する第２足部３４ａが設けられる。この第２足部３４ａは、支持用脚部３４の先端を折り曲げることにより、支持用脚部３４と一体に形成されている。なお、この構成に限定されず、第２足部３４ａは、支持用脚部３４とは別に設けられる部材であってもよい。筐体１の左側Ｌの側板１１ａに第１ブラケット３が取り付けられた状態では、第２足部３４ａは筐体１の底板１２の内面上の平坦部１２１に当接する。
【００４０】
次に、第２ブラケット４は、ディスクドライブ２の右側Ｒを筐体１に取り付けるための部材である（図１参照）。この第２ブラケット４は、たとえば樹脂材料や金属材料で形成されている。第２ブラケット４は、第２ドライブ取付部４１と、第２筐体取付部４２と、を含んで構成される。なお、第２ドライブ取付部４１及び第２筐体取付部４２は、一体に形成されてもよいし、一体に形成されなくてもよい。
【００４１】
第２ドライブ取付部４１は、ディスクドライブ２に第２ブラケット４を取り付けるための部材である。第２ドライブ取付部４１は、ディスクドライブ２の右側Ｒに設けられた２つの設置用足部２１１に取り付けられる。第２ドライブ取付部４１には２つの第４ねじ孔４１ａが形成されている（図１参照）。各第４ねじ孔４１ａはディスクドライブ２の右側Ｒに設けられた２つの第１開口２１１ａとそれぞれ対応する位置に形成されている。ディスクドライブ２の右側Ｒの各第１開口２１１ａに挿通された第１ネジ５が第２ドライブ取付部４１の各第４ねじ孔４１ａに螺合されることにより、ディスクドライブ２の右側Ｒに第２ブラケット４が取り付けられる。
【００４２】
第２筐体取付部４２は、筐体１の底板１２に第２ブラケット４を取り付けるための部材である。第２筐体取付部４２は、長手方向Ｘから見た形状が階段状となるように、第２ドライブ取付部４１に接続されている。第２筐体取付部４２には、２つの第３開口４２ａが形成されている（図１参照）。各第３開口４２ａは、筐体１の底板１２の第３絞り部１２２ｃ及び第４絞り部１２２ｄに形成された各第２ねじ孔１２４とそれぞれ対応する位置に形成されている。第２筐体取付部４２の各第３開口４２ａに挿通された第３ネジ７が第３絞り部１２２ｃ及び第４絞り部１２２ｄの各第２ねじ孔１２４に螺合されることにより、筐体１の底板１２に第２ブラケット４が取り付けられる。
【００４３】
上述のディスク装置Ａによれば、第１ブラケット３の第１ドライブ取付部３１はディスクドライブ２に取り付けられる。第１ブラケット３の保持用脚部３３のうち、第１脚部３３１は筐体１の底板１２に形成される開口部１２３を係止するための部材である。また、第２脚部３３２はその先端が筐体１の底板１２の内面に当接する。そのため、筐体１に衝撃が加わるとき、筐体１の底板１２より外側に向かう衝撃力は第１脚部３３１により受け止められる。また、筐体１の底板１２より内側に向かう衝撃力は第２脚部３３２により受け止められる。従って、第１ブラケット３は、筐体１にディスクドライブ２を安定して保持することができる。さらに、筐体１が衝撃を受けても筐体１にディスクドライブ２が取り付けられる構造の変形を防止することもできる。
【００４４】
なお、本実施形態では、第１脚部３３１の係止部３３１ａが筐体１の底板１２の開口部１２３を係止するが、この係止機構はこの構成に限定されない。底板１２には、開口部１２３に代えて、第１脚部３３１の係止部３３１ａと係合する部材を設けてもよい。図６は、本実施形態の変形例において第１脚部の係止部が筐体の底板を係止する機構を示す図である。また、図７は、本実施形態の変形例に係る保持用脚部を右側Ｒから見た図である。
【００４５】
図６に示すように、本実施形態の変形例では、開口部１２３に代えて、筐体１の底板１２の第１絞り部１２２ａから右側Ｒに向かって鉛直斜め上方に２つのガイド片１２５が延設される。また、図６及び図７に示すように、保持用脚部３３の第１脚部３３１には、その先端から左側Ｌに向かって鉛直斜め下方に係止部３３１ｂが延設される。なお、図６では、係止部３３１ｂは、第１足部３３２ａが延設される方向とは反対の方向に向かって延設されているが、同じ方向に向かって延設されてもよい。その場合、２つのガイド片１２５も係止部３３１ｂが延設される方向に応じた方向に延設される。
【００４６】
この係止部３３１ｂは２つのガイド片１２５の間に差し込まれる。図６において、方向ｍは、係止部３３１ｂが２つのガイド片１２５の間に差し込まれる方向を示している。その後、第１ブラケット３の第１筐体取付部３２が筐体１の左側Ｌの側板１１ａの取付片１１１にねじ止めされる。こうすれば、係止部３３１ｂは底板１２の内面の略法線方向（すなわち鉛直方向）には動けないので、ディスク装置Ａの落下などにより、筐体１に衝撃が加わるとき、筐体１の底板１２より内側及び外側に向かう衝撃力を第１脚部３３１により受け止めることができる。従って、第１ブラケット３は、筐体１にディスクドライブ２を安定して保持することができる。
【００４７】
さらに、係止部３３１ｂの長さを２つのガイド片１２５の長さ以下としておけば、筐体１の底板１２から外側に係止部３３１ｂが突出することがない。よって、ディスク装置Ａの製造工程やディスク装置Ａの設置などの際、ディスク装置Ａを扱う作業者の指先や掌などに係止部３３１ｂが引っ掛かることも防止できる。
【００４８】
以上、本発明について実施形態をもとに説明した。この実施形態は例示であり、その各構成要素や各処理の組み合わせに色々な変形例が可能であり、本発明の範囲にあることは当業者に理解されるところである。
【００４９】
たとえば、上述の実施形態では第１ブラケット３の正面側Ｆのみに保持用脚部３３を設けたが、本発明はこの構成に限定されない。保持用脚部３３は第１ブラケット３の背面側Ｂにも設けられていてもよいし、第２ブラケット４の正面側Ｆ及び／又は背面側Ｂにも設けられていてもよい。なお、保持用脚部３３は、第１ブラケット３及び／又は第２ブラケット４に少なくとも１つ設けられていればよい。さらに、望ましくは、保持用脚部３３は、第１ブラケット３及び第２ブラケット４の正面側Ｆ及び背面側Ｂにそれぞれ１つ設けられる。こうすれば、ディスクドライブ２の４隅を保持用脚部３３で保持できるので、筐体１にディスクドライブ２をより安定して保持することができる。
【００５０】
また、第１ブラケット３及び／又は第２ブラケット４に３つ以上の保持用脚部３３が設けられていてもよい。この場合、追加された保持用脚部３３に応じて、開口部１２３が筐体１の底板１２に適宜設けられる。こうすれば、ディスクドライブ２を筐体１により安定して保持することができる。さらに、筐体１が衝撃を受けたとき、その衝撃力をより多くの保持用脚部３３で受け止めることができるので、ディスクドライブ２を保持する構造の変形をより確実に防止することができる。
【００５１】
また、上述の実施形態では、保持用脚部３３の第２脚部３３２に第１足部３３２ａを設け、支持用脚部３４に第２足部３４ａを設けたが、本発明はこの構成に限定されない。第１足部３３２ａ及び／又は第２足部３４ａが設けられない構成としてもよい。言い換えると、第２脚部３３２及び／又は支持用脚部３４において、その先端のみが筐体１の底板１２に当接してもよい。このようにしても、筐体１に衝撃が加わるとき、筐体１の底板１２より内側に向かう衝撃力を第２脚部３３２や支持用脚部３４により受け止めることはできる。
【００５２】
また、上述の実施形態では、ディスクドライブ２の左側Ｌに第１ブラケット３が取り付けられ、右側Ｒに第２ブラケット４が取り付けられるが、本発明はこの構成に限定されない。ディスクドライブ２の正面側Ｆ及び／又は背面側Ｂにも、第１ブラケット３又は第２ブラケット４が取り付けられてもよい。この場合、追加された第１ブラケット３又は第２ブラケット４に応じて、開口部１２３、取付片１１１、第２ねじ孔１２４などが筐体１に適宜設けられる。このようにしても、ディスクドライブ２を筐体１により安定して保持することができる。さらに、筐体１が衝撃を受けたとき、その衝撃力をより多くの保持用脚部３３や支持用脚部３４で受け止めることができるので、ディスクドライブ２を保持する構造の変形をより確実に防止することができる。
【００５３】
また、上述の実施形態では、第１〜第３ネジ５〜７を用いたねじ止めにより、第１ブラケット３や第２ブラケット４が筐体１及びディスクドライブ２に取り付けられるが、本発明はこの構成に限定されない。第１〜第３ネジ５〜７に代えて、スナップフィットで嵌合されるピン８を用いてもよい。その場合、取付片１１１、底板１２の第３絞り部１２２ｃ及び第４絞り部１２２ｄ、第１ドライブ取付部３１、及び第２ドライブ取付部４１には、ねじ孔に代えて、開口を形成してもよい。図８は、スナップフィットで嵌合できるピンの一例を示す図である。
【００５４】
ピン８の先端には、複数の係止爪部８１が設けられている。また、ピン８はたとえば樹脂材料で形成されている。そのため、第１開口２１１、第２開口３２ａ、第３開口４２ａにピン８を押し込むことにより、その先端がスナップフィットして挿通される。その後、ピン８の係止爪部８１が、第１〜第４ねじ孔１１１ａ、１２４、３１ａ、４１ａの縁、或いはこれらのねじ孔に代えて形成される開口の縁を係止する。こうすれば、ネジを螺合する手間が省けるので、筐体１にディスクドライブ２を取り付ける工程を簡略化することができる。さらに、図８に示すように、ピン８の先端形状は平坦にしておくとよい。こうすれば、ピン８の先端が筐体１の底板１２の外面から突出しても、ディスク装置Ａの製造工程やディスク装置Ａの設置などの際に、作業者の指先や掌などがピン８の先端に引っ掛かり難くなる。
【符号の説明】
【００５５】
Ａ            ディスク装置
Ｆ              正面側
Ｂ              背面側
Ｌ              左側
Ｒ              右側
１            筐体
１１            側板
１１１            取付片
１１１ａ            第１ねじ孔
１２            底板
１２１            平坦部
１２２            絞り部
１２３            開口部
１２４            第２ねじ孔
１２５            ガイド片
２            ディスクドライブ
２１            シャーシ
２１１            設置用足部
２１１ａ            第１開口
３            第１ブラケット
３１            第１ドライブ取付部
３１ａ            第３ねじ孔
３２            第１筐体取付部
３２ａ            第２開口
３３            保持用脚部
３３１            第１脚部
３３１ａ，３３１ｂ            係止部
３３２            第２脚部
３３２ａ            第１足部
３４            支持用脚部
３４ａ            第２足部
４            第２ブラケット
４１            第２ドライブ取付部
４１ａ            第４ねじ孔
４２            第２筐体取付部
４２ａ            第３開口
５            第１ネジ
６            第２ネジ
７            第３ネジ
８            ピン
８１            係止爪部
【図１】
2014022020.tif 000003
【図２】
2014022020.tif 000004
【図３】
2014022020.tif 000005
【図４】
2014022020.tif 000006
【図５】
2014022020.tif 000007
【図６】
2014022020.tif 000008
【図７】
2014022020.tif 000009
【図８】
2014022020.tif 000010